(57)【要約】【課題】汚染された土壌自体を直接的に改質し放射性物質で汚染された区域の有効活用を促進することができる。【解決手段】好気性菌と嫌気性菌及び、通性嫌気性菌類の微生物群の微生物が拮抗作用を抑制し、多様な微生物群の共生効果により、共存、共栄を可能にする複合発酵法により、土壌を活性化させて培地化させ、別途腸内細菌由来の細菌を用いて生物のなかでもきわめて放射線に強い微生物群である耐放射性細菌の菌床を育成し、ミネラル・ビタミン・アミノ酸の生理活性物質、及び酸・酵素・Ｄ／Ｌ−システインを含む酵素水を耐放射性菌を誘導する誘導用酵素水として製造し、前記培地化させた土壌に対し、耐放射性細菌発現菌床、及び誘導用酵素水を散布してさらに、土壌を発酵させる。【選択図】なし【特許請求の範囲】
【請求項１】
好気性菌と嫌気性菌及び、通性嫌気性菌類の微生物群の微生物が拮抗作用を抑制し、多様な微生物群の共生効果により、共存、共栄を可能にする複合発酵法により、土壌を活性化させて培地化させ、
別途腸内細菌由来の細菌を用いて生物のなかでもきわめて放射線に強い微生物群である耐放射性細菌の菌床を育成し、
ミネラル・ビタミン・アミノ酸の生理活性物質、及び酸・酵素・D/L-システインを含む酵素水を耐放射性菌を誘導する誘導用酵素水として製造し、
前記培地化させた土壌に対し、耐放射性細菌発現菌床、及び誘導用酵素水を散布してさらに、土壌を発酵させることを特徴とした土壌の改質方法。
【請求項２】
複合発酵法は、酵母、乳酸菌類等の好気性発酵微生物が働き出すことから始まり、好気性発酵微生物がアミノ酸、糖類、ビタミン、ミネラル等の生理活性物質を造り、大腸菌、糸状菌、雑菌類等の好気性有害菌を浄菌し、
次に好気性発酵微生物の乳酸菌が通性嫌気性乳酸菌及び通性嫌気性菌類へとリレーし、それによって放線菌が現れて抗菌性物質を造り、これが細菌、病原菌、ウィルス、リケッチャー等の嫌気性有害菌を浄菌し、前記二つの浄菌作用が連動することで、アゾトバクター、アミロバクター、根瘤菌等が空気中から窒素を取り込み固定する働きをし（窒素固定菌）、最後に光合成細菌、藻菌類、化学光合成微生物が炭酸ガス、窒素ガスを取り込んで光合成等、エネルギー・置換と交換を行うことで複合発酵が可能となる請求項1記載の土壌の改質方法。
【請求項３】
耐放射性細菌は、下記細菌から１ないし複数を選択する請求項１または請求項２に記載の土壌の改質方法。
アシネトバクター（Acinetobacter）放射線耐性細菌
アルスロバクター  ラディオトレランス（Arthrobacter radiotolerance）同上
バシルス  セレアス（Bacillus cereus）同上
バシルス  プミルス（Bacillus pumilus）同上
パシルス  スブチリス（Bacillus subtilis）同上
カンディーダ  アルビカンス（Candida albicans）放射線耐性酵母
カンデイーダ  シフェール（Candida ciferrll）同上
カンディーダ  クルセイ（Candida krusei）同上
クロコシディオプシス（Chroococcidiopsis）放射線耐性ラン藻
クロストリディウム  ボツリナム（Clostridium botulinum）放射線耐性細菌
クロストリディウム  パーフリンゲンス（Clostridium perfringens）同上
クリプトコキュス  ネオフォルマンス（Cryptococcus neoformans）放射線耐性酵母
デイノバクター  グランディス（Deinobacter grandis）放射線耐性細薗
デイノコキュス  プロテオリティキュス（Deinococcus proteolyticus）同上
デイノコキュス  ラディオデユランス（Deinococcus radiodurans）同上
デイノコキュス  ラディオフィルス（Deinococcus radiophilus）同上
デイノコキュス  ラディオプグナンス（Deinococcus radiopugnans）同上
ドゥナリエラ  バルダウィル（Dunaliella bardawil）放射線耐性緑藻
エルウィニア  ｓｐ.（Erwinia sp.）放射線耐性細菌
エスチェリチア  コリ（Escherichia coli）同上
ユーグレナ  ｓｐ．（Euglena sp.）放射線耐性鞭毛虫類
ハロバクテリウム  サリナリウム（Halobacterium salinarium）放射線耐性古細菌
ハイメノバクター  アクチノスクレルス（Hymenobacter actinosclerus）放射線耐性細菌
キネオコキュス  ラディオトレランス （Kineococcus radiotolerans）同上
ラクトバチルス  アシドフィルス（Lactobacillus acidophilus）同上
メシロバクテリウム  ラディオトレランス（Methylobacterium radiotolerans）同上
マイクロコキュス  ラディオデュランス（Micrococcus radiodurans）同上
プセウドモナス  ｓｐ．（Pseudomonas sp.）同上
プセウドモナス  ラディオラ（Pseudomonas radiora）同上
フィロコキュス  フリオサス（Pyrococcus furiosus）放射線耐性古細菌
リゾプス  ニグリカンス（Rhyzopus nigricans）放射線耐性真菌
ルブロバクター  ラディオトレランス（Rubrobacter radiotolerans）放射線耐性細菌
ルブロパクター  キラノフィルス（Rubrobacter xylanophilus）同上
セラチア  ルクエファシエンス（Serratia llquefaciens）同上
スフィンゴモナス  パウシモブリス（Sphingomonas paucimobliis）同上
スピキュリア（Spicuria）放射線耐性真菌
ステノトロフォモナス  マルトフィラ（Stenotrophomonas maltophila）放射性耐性細菌
トルロプシス（Torulopsis）放射線耐性酵母
イェルシニア  エンテロコリティカ（Yersinia emterocolitica）放射性耐性細菌
【発明の詳細な説明】
【技術分野】
【０００１】
本発明は、汚染された土壌自体を直接的に改質し、例えば放射性物質で汚染された区域の有効活用を促進する土壌の改質方法に関する。
【背景技術】
【０００２】
放射能とは、物質から自発的に放射線が放出される現象、及び放射能を持つ核種のことをいう。また、放射性物質とは、放射性核種（放射能）を含む物質である。
【０００３】
放射能及び放射能を含む物質を分解することは不可能とされており、放射性廃棄物は高レベルのものは、ガラス固化してオーバーパックという金属性の容器に封入し、さらに緩衝材として粘土で包み地下深く（３００ｍ以上）に埋設する地層処分が選択され、低レベルのものは、発生量を減らす努力がなされており、固体は燃やしたり、燃えないものは圧縮したりして減容し、液体は水分を蒸発させ、セメントなどと混ぜてドラム缶に密封し、鉄筋コンクリートのピットにドラム缶を収納し、ドラム缶とピットの間にセメント系充填材を入れて固め、周囲を水を通しにくいベントナイト混合土で覆い固めて地下水の侵入を防止し埋設している。
【０００４】
しかし、前記の技術では、高レベルでも低レベルでも放射性廃棄物の処理が実施されているのではなく、危険性を回避した状態で保存して、放射性廃棄物が放射線を放出して自己崩壊するのを待つものに過ぎない。
【０００５】
そこで発明者は先に先に下記特許文献に示すように、複合微生物体系の複合微生物動態系解析における複合発酵法を用いて、処理槽内の酸化・変敗・腐敗を止め、すべての好気性及び嫌気性フザリウム属菌群（酸化性細菌群）を抑制し、沈殿槽において固形発酵を起こさせることで、複合微生物の循環サイクルを起こさせ、難分解性の放射能・放射性物質に対する分解菌、分解酵素を現生、発現させ分解消失処理を実現することを提案した。
【特許文献１】特開２００５−３２１３６５号公報
【０００６】
一定のスペースと人為的条件下では従来、不可能とされてきた好気−明、好気−暗、嫌気−明、嫌気−暗の４つのタイプの微生物を、すべての酸化・変敗・腐敗を断ち切り、発酵−分解−合成の還元作用及び抗酸化作用（酸化と還元が同時に存在する）のみを起こさせる。
【０００７】
複合発酵を起こさせるためには、固形バイオ、液肥、酵素水が必要である。複合発酵は、複合微生物体系の複合微生物動態系解析における複合発酵法を用いて、処理槽内の酸化・変敗・腐敗を止め、すべての好気性及び嫌気性フザリウム属菌群（酸化性細菌群）を抑制し、沈殿槽において固形発酵（嫌気発酵）を起こさせることで、複合微生物の循環サイクルを起こさせ、放射能、放射線に対する耐衡性菌、対抗性菌が現生し、さらに分解菌、分解酵素を現生させて、放射能・放射性物質の分解消失処理を実現するものである。
【発明の概要】
【発明が解決しようとする課題】
【０００８】
前記特許文献１では、必要な数が決定される微生物処理槽と、その槽の後に連結した沈殿槽からなる微生物処理装置を、放射能・放射性物質の処理に必要な発酵、発酵合成、合成の過程の数に応じて設置した廃液・廃水浄化設備であって、各微生物処理槽には、それぞれ所定の微生物が現生・発現するための菌床を投入しかつエアーを供給するように構成し、発酵及び発酵段階の微生物処理装置の前段階に放射能・放射性物質の含有量によって必要な数が決定される加圧タンクを設け、各微生物処理槽に一定量の排水が流入するようにし、各微生物処理装置で処理を終えた処理水をそれぞれ次の段階の微生物処理装置へ滞留が起きない様に水の流れを造って送り、それぞれの沈殿槽において沈殿して固形発酵した菌床をそれぞれ前段階の微生物処理装置の最初の槽へ個別にあるいは同時に返送する様に構成し、最後の沈殿槽において、上澄水を放流水としてオーバーフローさせ、その後にバイオ触媒槽を設け、その後に放射能・放射性物質の質と濃度によって設置する数が決定されるシリカ触媒槽、カーボン触媒槽、マテリアル触媒槽、カーボンフィルター、及びミクロフィルターを設けたことを内容とする。
【０００９】
前記特許文献１では汚染された土壌自体を直接的に改質する方法については示されていない。
【００１０】
本発明の目的は前記従来例の不都合を解消し、汚染された土壌自体を直接的に改質し、区域の有効活用を促進することができる土壌の改質方法を提供することにある。
【課題を解決するための手段】
【００１１】
前記目的を達成するため本発明は、好気性菌と嫌気性菌及び、通性嫌気性菌類の微生物群の微生物が拮抗作用を停止し、多様な微生物群の共生効果により、共存、共栄を可能にする複合発酵法により、土壌を活性化させて培地化させ、別途腸内細菌由来の細菌を用いて耐放射性細菌の菌床を育成し、ミネラル・ビタミン・アミノ酸の生理活性物質、及び酸・酵素・Ｄ／Ｌ−システインを含む酵素水を製造し、前記培地化させた土壌に対し、耐放射性細菌発現菌床、及び酵素水を散布してさらに、土壌を発酵させること、および、複合発酵法は、酵母、乳酸菌類等の好気性発酵微生物が働き出すことから始まり、好気性発酵微生物がアミノ酸、糖類、ビタミン、ミネラル等の生理活性物質を造り、大腸菌、糸状菌、雑菌類等の好気性有害菌を浄菌し、次に好気性発酵微生物の乳酸菌が通性嫌気性乳酸菌及び通性嫌気性菌類へとリレーし、それによって放線菌が現れて抗菌性物質を造り、これが細菌、病原菌、ウィルス、リケッチャー等の嫌気性有害菌を浄菌し、前記二つの浄菌作用が連動することで、アゾトバクター、アミロバクター、根瘤菌等が空気中から窒素を取り込み固定する働きをし（窒素固定菌）、最後に光合成細菌、藻菌類、化学光合成微生物が炭酸ガス、窒素ガスを取り込んで光合成等、エネルギー・置換と交換を行うことで複合発酵が可能となること、および、耐放射性細菌は、下記細菌から１ないし複数を選択することを要旨とするものである。
アシネトバクター（Acinetobacter）放射線耐性細菌
アルスロバクター  ラディオトレランス（Arthrobacter radiotolerance）同上
バシルス  セレアス（Bacillus cereus）同上
バシルス  プミルス（Bacillus pumilus）同上
パシルス  スブチリス（Bacillus subtilis）同上
カンディーダ  アルビカンス（Candida albicans）放射線耐性酵母
カンデイーダ  シフェール（Candida ciferrll）同上
カンディーダ  クルセイ（Candida krusei）同上
クロコシディオプシス（Chroococcidiopsis）放射線耐性ラン藻
クロストリディウム  ボツリナム（Clostridium botulinum）放射線耐性細菌
クロストリディウム  パーフリンゲンス（Clostridium perfringens）同上
クリプトコキュス  ネオフォルマンス（Cryptococcus neoformans）放射線耐性酵母
デイノバクター  グランディス（Deinobacter grandis）放射線耐性細薗
デイノコキュス  プロテオリティキュス（Deinococcus proteolyticus）同上
デイノコキュス  ラディオデユランス（Deinococcus radiodurans）同上
デイノコキュス  ラディオフィルス（Deinococcus radiophilus）同上
デイノコキュス  ラディオプグナンス（Deinococcus radiopugnans）同上
ドゥナリエラ  バルダウィル（Dunaliella bardawil）放射線耐性緑藻
エルウィニア  ｓｐ.（Erwinia sp.）放射線耐性細菌
エスチェリチア  コリ（Escherichia coli）同上
ユーグレナ  ｓｐ．（Euglena sp.）放射線耐性鞭毛虫類
ハロバクテリウム  サリナリウム（Halobacterium salinarium） 放射線耐性古細菌
ハイメノバクター  アクチノスクレルス（Hymenobacter actinosclerus）放射線耐性細菌
キネオコキュス  ラディオトレランス （Kineococcus radiotolerans）同上
ラクトバチルス  アシドフィルス（Lactobacillus acidophilus）同上
メシロバクテリウム  ラディオトレランス（Methylobacterium radiotolerans）同上
マイクロコキュス  ラディオデュランス（Micrococcus radiodurans）同上
プセウドモナス  ｓｐ．（Pseudomonas sp.）同上
プセウドモナス  ラディオラ（Pseudomonas radiora）同上
フィロコキュス  フリオサス（Pyrococcus furiosus）放射線耐性古細菌
リゾプス  ニグリカンス（Rhyzopus nigricans）放射線耐性真菌
ルブロバクター  ラディオトレランス（Rubrobacter radiotolerans）放射線耐性細菌
ルブロパクター  キラノフィルス（Rubrobacter xylanophilus）同上
セラチア  ルクエファシエンス（Serratia llquefaciens）同上
スフィンゴモナス  パウシモブリス（Sphingomonas paucimobliis）同上
スピキュリア（Spicuria）放射線耐性真菌
ステノトロフォモナス  マルトフィラ（Stenotrophomonas maltophila）放射性耐性細菌
トルロプシス（Torulopsis）放射線耐性酵母
イェルシニア  エンテロコリティカ（Yersinia emterocolitica）放射性耐性細菌
【００１２】
本発明によれば、複合発酵法により複合発酵状態を惹起し、複合発酵状態になると、発酵→分解→合成のサイクルが生れ、好気性及び嫌気性有害菌は抑制される。
【００１３】
このような生態系が生じると、すべての微生物を共生させる事により共存、共栄させることが可能となり、フザリウム属の占有率がゼロになり、酸化、変敗、腐敗を断ち切り、生態系内における微生物群の死滅率がゼロになることによって、すべての微生物群を発酵から合成に導き、生菌数を１ミリリットルあたり１０のｎ乗から無限大とし、同時に生菌数が１種類１ミリリットルあたり１０の９乗を超えると、菌のスケールが１０分の１以下となり、凝集化（固形化）を生じ、数千種、数万種の増殖が可能となる。
【００１４】
これにより、微生物の高密度化が起こり、微生物のＤＮＡ核内に一酸化窒素、二酸化窒素及び高分子タンパク結晶による情報接合とエネルギー接合を引き起こし、その結果、微生物間でのＤＮＡ融合が生じ、融合微生物による対抗性菌、耐衡性菌により獲得した酵素及びタンパク質の高分子結合結晶が発生し、情報触媒の作用を現生・発現させ、分解菌並びに分解酵素を現生させる。
【００１５】
本発明は複合発酵法により、土壌を活性化させて培地化させ、培地化させた土壌に対し、耐放射性細菌発現菌床、及び酵素水を散布し土壌を撹拌させる事により複合発酵を更に促しさせ、耐放射性細菌の現生／発現を確実に実施できる。
【００１６】
特に、酵素水を構成するミネラル・ビタミン・アミノ酸等の生理活性物質、及び酸・酵素・Ｄ／Ｌ−システイン等の炭素が生物的なフラーレンの法則を生じ、ナノチューブと同様な生物触媒機能を起こす事により汚染された土壌自体を直接的に改質することができる。
【００１７】
そして、前記耐放射性細菌を土壌に増加させ、及び、土壌微生物により産出される生体触媒、具体的にはタンパク質内の炭素結晶構造の変化（フラーレン構造構造変化）による触媒作用により放射線量の低減が成される。
【００１８】
本発明においては、汚染土壌自体が耐放射性細菌の培地と化す為、人為的な操作が終了した後においても効果が継続し、放射線量の低減が保持される仕組みとなる。
【発明の効果】
【００１９】
以上述べたように本発明の土壌の改質方法は、汚染された土壌自体を直接的に改質し放射性物質で汚染された区域の有効活用を促進することができるものである。
【図面の簡単な説明】
【００２０】
【図１】本発明の効果を確認するために行った試験現場の説明図である。
【図２】対照地設定の現場見取り図である。
【図３】除染結果として現場作業実績の表を示す説明図である。
【図４】現場地表面の放射線量移行を示すグラフである。
【図５】本発明の効果を示すもので、第二Ｙ軸に上述のポイントＡと対象区の核種分析結果／放射性セシウムの合計放射能濃度（Ｂｑ／ｋｇ）を示すグラフである。
【発明を実施するための形態】
【００２１】
本発明は、「複合発酵法による土壌の活性化」と「耐放射性細菌の現生・発現」と「酵素水の製造」と「培地化させた土壌に対し、耐放射性細菌発現菌床、及び酵素水を散布させる」工程からなる。その各々について説明する。
【００２２】
まず、「複合発酵法による土壌の活性化」であるが、ここで複合発酵法とは「発酵系」「合成系」の微生物が共生して「複合発酵」を起こす現象である。
【００２３】
複合発酵法では、固形バイオ、液肥、酵素水の３種類のいずれも天然由来の資材を用いる。
【００２４】
固形バイオは、稲わらやもみを砕き、ぬかをまぜて発酵させ、乾燥させたものである。
【００２５】
液肥は、発酵・増殖を活性化させる微生物群のＭＬＳＳ菌床による。
【００２６】
酵素水は、ミネラル・ビタミン・アミノ酸・酸・酵素・Ｄ／Ｌ−システインを含むものである。ここでの酵素水は、土壌を複合発酵させ培地化させる酵素水であり、“土壌発酵用酵素水”と称する。
【００２７】
酵素水は、一辺約１メートルの大型ポリタンクを10個ほど用意して、パイプでつなぎ、ポンプを組み合わせた極めてシンプルなプラントで製造できる。
【００２８】
最初のタンクには、微生物の元となるモルト（複合発酵による酵素を抽出した液）と、微生物を元気にする糖蜜などのエサが入っている微生物の培養液と、水（沢から引いた）を注入する。
【００２９】
つながれたタンクには、微生物の発酵を促すため、エアレーションポンプを差し込み、絶えず水中に空気を送り込む。
【００３０】
また、沢の水からも、空気中からも微生物が入り込み、発酵を担っていく。最後のタンクでは、「発酵＝好気発酵」ではなく「合成＝嫌気発酵＝再構築」の域に達して、酵素やエネルギーに満ちた液となる。こうしてできあがったものが酵素水である。
【００３１】
原料に吸着した自然界の微生物が「複合発酵」を起こす。これを土にまくことで、「このような微生物に増殖して欲しい」「腐敗に進まず、発酵に進んで欲しい」というメッセージを土の中の微生物に知らせ、有効な働きをするように方向付ける。
【００３２】
複合発酵で土壌を活性化させるため、前記固形バイオ、液肥、酵素水を土の変化や天候などを見ながらまく。
【００３３】
複合発酵により好気性菌と嫌気性菌及び、通性嫌気性菌類の共生効果により微生物群の共存、共栄を可能になる。
【００３４】
複合発酵法の微生物プロセスは次のとおりである。まず、微生物酵素と植物酵素による抗酸化効果を用いて酸化・変敗・腐敗を抑制する。すると好気性発酵微生物である酵母、乳酸菌などがビタミン、ミネラル、アミノ酸などの生理活性物質をつくり、大腸菌や糸状菌などの好気性有害菌を抑制する。
【００３５】
次に、通性嫌気性乳酸菌へとリレーして放線菌が現れる。この放線菌は、抗菌性物質をつくり、細菌、病原菌、ウィルス、リケッチャなどの嫌気性有害菌を浄菌する。この二つの淨菌作用が連動すると、アゾトバクター、アミロバクターや根瘤菌などの窒素固定菌が空気中の窒素を取り込んで固定する働きをし、最後に光合成細菌や藻類、藻菌類などの合成型の微生物が気体を培地として置換と交換を行なう。これらの微生物が強く連動することで、複合発酵という理想的な生態系へと導かれる。
【００３６】
複合発酵は前記のごとくであるが、下記Ａ〜Ｄの段階を経る。中でも放射性物質の除染・浄化で力を発揮する耐放射線菌は、Ｄの化学合成微生物の仲間である。
【００３７】
Ａ  発酵微生物＝乳酸菌、酵母など
先に述べたように、複合発酵のプロセスでは、まず、最初に酵母、乳酸菌などの好気性発酵微生物が動き出す。彼らは、発酵の過程で、生理活性物質を作り出す。生理活性物質は、アミノ酸、糖類、ビタミン、ミネラルなど、少量で生物の体の働きを調整する物質だ。人間にとって有用なものも少なくないが、微生物の間でも盛んにやり取りされる。
彼らは、発酵過程の一工程として好気性のフザリウム（腐敗菌類の一種）などを浄菌、殺菌し、その占有率を３％以下に激減させる。とくに乳酸菌は、その他の雑菌の活動を抑制する一方、酵母を増殖させ発酵を促す。
続いて、通性嫌気性乳酸菌、通性嫌気性菌類が活動しはじめる。「通性嫌気性」とは、酸素があってもなくても、条件に応じて活動できるということだ。
【００３８】
Ｂ  放線菌＝抗菌物質生産菌
さらに続いて放線菌が動き出す。
放線菌は、カビのような菌糸を放射状に伸ばす細菌で、±の中に広く分布している。土が持っている独特な臭いの大部分は、この放線菌に由来するものだといわれる。放線菌の中には、動植物の病原菌となるものもあるが、抗菌性物質を作り、土の中の嫌気性細菌、ウィルス、病原菌、リケッチア（ある種の病原菌の総称。発疹チフスを起こす菌などが含まれる）などを浄菌することができる。
抗菌性物質による抑制の働きが、嫌気性のフザリウムの占有率をゼロにする。
これは、好気性の浄菌作用と嫌気性の浄菌作用が連動しはじめることによる。
【００３９】
Ｃ  窒素固定菌＝アゾトバクター、アミロバクター、根粒菌など
その後、アゾトバクター、アミロバクター、根粒菌などの窒素固定菌が窒素を取り込み、固定して窒素肥料を作る。
生物にとって窒素は不可欠な元素で、植物の生長にも欠かせない。たんぱく質を構成する元素の一つだが、たいていの生物は空気中の窒素をそのまま利用することができない。そこで、重要な役割を果たすのが窒索固定菌なのだ。
例えば、窒素固定菌が窒素からアンモニアや硝酸を作り、植物がそれを吸収して生長し、動物がそれを食べる、という食物連鎖で多くの生物に窒素が供給される。
マメ科やハンノキの仲間などの植物の根には、窒素固定の働きを持つ特定の根粒菌が共生している。
【００４０】
Ｄ  光合成細菌、藻菌類＝光合成微生物、化学合成微生物
最後に、光合成微生物、藻菌類、化学合成微生物が二酸化炭素、窒素などを取り込み、光合成、化学合成によって、分解菌分解物、有機物、無機物からエネルギーを作り出す。あらゆるものをプラスチャージに転移させるもので、有効微生物群の中でも主力となる存在である。
【００４１】
「発酵系」「合成系」の微生物が共生して「複合発酵」を起こす。これらの微生物たちの中で「Ａ・Ｂ」が働くプロセスを「発酵系」、「Ｃ・Ｄ」が働くプロセスを「合成系」という。
【００４２】
発酵系（Ａ・Ｂが活動）
乳酸菌や酵母などが主体の「発酵微生物」が優占している状態。コウジカビなどが大量に発生し、そこに有機物が加わると発酵が進み、香ばしい発酵臭が生じる。
また、二酸化炭素などのガスも発生し、地表から地中まで土全体が柔らかくなる。
微生物の活動に伴い、無機養分が溶けやすくなり、植物の根に吸収されやすい状態となる。アミノ酸、糖類、ビタミン、その他の生理活性物質も増加し、植物の生育が加速される。
植物は養分に富んだ土によって育まれ、作物の場合は風味が向上する。
一方、フザリウムの活動は抑え込まれ、腐敗の場合に多く生じる硫化水素やメタンなどのガスの発生も抑制される。
【００４３】
合成系（Ｃ・Ｄが活動）
光合成細菌や藻菌類、窒素固定菌など、合成型の微生物が優占している状態。
土の水分が安定していると、少量の有機物を与えるだけでも、土は肥沃になる。
一方、この場合もフザリウムの占有率は低くなり、浄菌型微生物と連動しやすくなるため、腐敗状態のガスの発生が抑制される。
土の中で、「発酵系」の微生物たち、「合成系」の微生物たちが手をつなぎ、強く共生するようになると、土の生態系は「発酵合成型」というもつとも理想的な状態に進む。以上のプロセスが複合発酵である。
【００４４】
前記光合成細菌としては、下記のものを挙げることができる。
アモエボバクター  ペンデンス  （Amoebobacter pendens）
アモエボバクター  ロセウス  （Amoebobacter roseus）
チェロロビウム  リミコラ  （Chlorobium limicola）
チエロロビウム  ファエオバクデロイデス  （Chlorobium phaeobacteroides）
チエロロビウム  ファエオビブリオイデス  （Chlorobium phaeovibrioides）
チェロロビウム  ビブリオフォーメ  （Chlorobium vibrioforme）
チェロロフレザセアエ科      （Cholroflexaceaae科）
チェロロブセオドモナンス  エティリカ  （Chloropseudomonas ethlylica）
チェロマティウム  ブデリ  （Chromatium buderi）
チェロマティウム  グラシル  （Chromatium gracile）
チェロマティウム  オケニイ  （Chromatium okenii）
チェロマティウム  ミヌス  （Chromatium minus）
チェロマティウム  ミヌティシムム  （Chromatium minutissimum）
チェロマティウム  ビノスム  （Chromatium vinosum）
チェロマティウム  ビオラセンス  （Chromatium violascens）
チェロマティウム  ワーミンギイ  （Chromatium warmingii）
チェロマティウム  ウェイセイ  （Chromatium weissei）
クラセロクロリス  スルフリカ  （Clathrochloris sulphurica）
エクトスィオロドスピラ  ハロフィラ  （Ectothiorhodospira halophila）
エクトスィオロドスピラ  モビリス  （Ectothiorhodospira mobilis）
エクトスィオロドスピラ  シャポシニコビイ  （Ectothiorhodospira shaposhnikovii）
ラムプロシィスチス  ロセオペルシシナ  （Lamprocystis roseopersicina）
ペロディクトヨン  クラスラチフォーメ  （Pelodictyon clathratiforme）
ペロディクトヨン  ルテオルン  （Pelodictyon luteolum）
プロスセコクロリス  アウストウアリイ  （Prosthecochloris awatuarii）
ロドミクロビウム  バニエリイ  （Rhodomicrobium vannielii）
ロドプセウドモナス  アシドフィラ  （Rhodopseudomonas acidophila）
ロドプセウドモナス  キャプスラタ  （Rhodopseudomonas capsulata）
ロドプセウドモナス  ゲラチノサ  （Rhodopseudomonas gelatinosa）
ロドプセウドモナス  パルストリス  （Rhodopseudomonas palustris）
ロドプセウドモナス  スファエロイデス  （Rhodopseudomonas sphaerodides）
ロドプセウドモナス  ピリディス  （Rhodopseudomonas viridis）
ロドスピリルム  フルヴム  （Rhodospirillum fulvum）
ロドスピリルム  モリシアヌム  （Rhodospirillum molischianum）
ロドスピリルム  フォトメトリクム  （Rhodospirillum photometricum）
ロドスピリルム  ルブルム  （Rhodospirillum rubrum）
ロドスビリルム  テヌエ  （Rhodospirillum tenue）
ティオカプサ  フェンニギイ  （Thiocapsa phennigii）
ティオカプサ  ロセオペルシシナ  （Thiocapsa roseopersicina）
ティオシスチス  ゲラチノサ  （Thiocystis gelatinosa）
ティオシスチス  ビオラセア  （Thiocystis violacea）
チオデクトヨン  バシロスム  （Thiodictyon bacillosum）
チオデクトヨン  エレガンス  （Thiodictyon elegans）
チオベデイア  ロセア  （Thiopedia rosea）
チオサルシナ  ロセア  （Thiosarcina rosea）
チオスピリルム  ジェネンセ  （Thiospirillum jenense）
チオスピリルム  ロセンベルギイ  （Thiospirillum rosenbergii）
チオスピリルム  サングイネウム  （Thiospirillum sanguineum）
【００４５】
本発明では、腸内細菌由来微生物を用い耐放射性細菌の菌床を育成して、耐放射性細菌の現生・発現させる。
【００４６】
この菌床の育成は、耐放射性細菌の現生・発現を起こさせる為である。下記表１に耐放射性細菌の種類を記す。
【表１】
2020153749.tif 000002
【００４７】
腸内細菌由来微生物とは、エミュー・クジャクを始めとする鳥類、及び他の原始的因子を持つ哺乳類を含む生物の糞由来の微生物である。
【００４８】
恐竜が生息していた時代は大気の組成が現在とは異なり、放射線が地上まで到達していた比率が現在よりも高い可能性、及び、半減期の問題より自然放射線量も現在より高かった可能性が指摘されている。よって腸内細菌を含め恐竜は耐放射性を有していたと思われ、現在その子孫で有る鳥類の腸内細菌由来微生物を活用する事により、耐放射性菌を誘導し現生させる事が可能になると考えられる。
【００４９】
前記腸内細菌由来微生物の菌床の育成は水溶液中で曝気処理を行いながら、光合成細菌、化学合成細菌、独立栄養細菌、古細菌等と共生されながら実施される。
【００５０】
前記培地化させた土壌に対し、耐放射性細菌発現菌床、及び酵素水を散布することにより複合発酵を更に促進させ、耐放射性細菌の現生/発現を確実に実施する。
【００５１】
前記耐放射性細菌及び、土壌微生物により産出される生体触媒、具体的にはタンパク質内の炭素結晶構造の変化（フラーレン構造変化）による触媒作用により放射線量の低減が成される。
【００５２】
本発明においては、汚染土壌自体が耐放射性細菌の培地と化す為、人為的な操作が終了した後においても効果が継続し、放射線量の低減が保持される仕組みとなる。
【００５３】
以下に本発明の効果を確認するために行った試験について説明する。現場住所は、福島県双葉郡浪江町大字下津島字小塚６５である。
【００５４】
図１に現場見取り図を示す。図２に対照地設定の現場見取り図を示す。対象（対照）地は土壌発酵による除染現場近傍に設定した。
【００５５】
参考放射線量の定期測定方法として、除染時の放射線量推移を把握するため、地表面（Ａ，Ｂ，Ｃ，Ｄ）４地点について定期測定を実施した。使用機器はＴＥＲＲＡ  ＭＫＳ−０５である。
【００５６】
また、参考放射線量の常時測定方法として、除染時の放射線量推移をより詳細に把握するため、Ａ地点地上１５ｃｍの常時測定を実施した。使用機器はａｐｐｌｅ  ｉｐｏｄ＆ポケットガイガーである。測定値はインターネットライブ配信した。
【００５７】
作業サイクルは下記の通りである。
［除染現場］
耕運作業→複合発酵法による土壌培地化（固形バイオ散布、肥液散布、酵素水散布）→耐放射性細菌発現菌床散布→耕運作業→誘導用酵素水散布
［対照地］
耕運作業→水散布→耕運作業水散布
（対照地では複合発酵法による土壌培地化、耐放射性細菌発現菌床散布、誘導用酵素水散布を行わず水散布を行う。）
【００５８】
除染結果として現場作業実績の表を図３に示す。
【００５９】
現場地表面の放射線量推移を図４に示す。Ａ，Ｂ，Ｃ，Ｄ地点に関し、放射線量は１/４程度以下へ低下した。
【００６０】
除染現場および対象地の比較において、本発明による土壌改質による放射性セシウムの各種分析結果を下表２に示す。
【表２】
2020153749.tif 000003
【００６１】
同様に図５に、第一Ｙ軸にポイントＡと対象区で計測された放射線量（μＳｖ／ｈ）を示す。なお、参考までに第二Ｙ軸に上述のポイントＡと対象区の核種分析結果／放射性セシウムの合計放射能濃度（Ｂｑ／ｋｇ）を示す。
【００６２】
土壌改質開始後２０日の時点において、ポイントＡ／Ｂともに放射性セシウム濃度が１／１５程度まで低減されている。
【００６３】
除染終了後２８日経過した時点においても各サンプルの放射能濃度は引き続き抑制されている。
【００６４】
対象区が初期濃度と比して最終計測において約２．７倍まで高濃度化している事より、放射性セシウムの飛散、落着は継続していると考えられる。
【００６５】
よって、土壌改質実施区域の各ポイントの放射能濃度が継続的に抑制されている事は除染作業終了後も土壌中の微生物が活発に活動し、（人が介在した改質作業は終了しているにも関わらず）土壌改質効果が継続し機能している為と思われる。
【００６６】
上述の想定は除染作業終了後も放射線量が低く保たれている事からも補完される。
【図１】
2020153749.tif 000004
【図２】
2020153749.tif 000005
【図３】
2020153749.tif 000006
【図４】
2020153749.tif 000007
【図５】
2020153749.tif 000008
【手続補正書】
【提出日】平成31年3月27日(2019.3.27)
【手続補正１】
【補正対象書類名】明細書
【補正対象項目名】０００５
【補正方法】変更
【補正の内容】
【０００５】
そこで発明者は先に下記特許文献に示すように、複合微生物体系の複合微生物動態系解析における複合発酵法を用いて、処理槽内の酸化・変敗・腐敗を止め、すべての好気性及び嫌気性フザリウム属菌群（酸化性細菌群）を抑制し、沈殿槽において固形発酵を起こさせることで、複合微生物の循環サイクルを起こさせ、難分解性の放射能・放射性物質に対する分解菌、分解酵素を現生、発現させ分解消失処理を実現することを提案した。
【特許文献１】特開２００５−３２１３６５号公報
【手続補正２】
【補正対象書類名】明細書
【補正対象項目名】００１１
【補正方法】変更
【補正の内容】
【００１１】
前記目的を達成するため本発明は、好気性菌と嫌気性菌及び、通性嫌気性菌類の微生物群の微生物が拮抗作用を停止し、多様な微生物群の共生効果により、共存、共栄を可能にする複合発酵法により、土壌を活性化させて培地化させ、別途腸内細菌由来の細菌を用いて耐放射性細菌の菌床を育成し、ミネラル・ビタミン・アミノ酸の生理活性物質、及び酸・酵素・Ｄ／Ｌ−システインを含む酵素水を製造し、前記培地化させた土壌に対し、耐放射性細菌発現菌床、及び酵素水を散布してさらに、土壌を発酵させること、および、複合発酵法は、酵母、乳酸菌類等の好気性発酵微生物が働き出すことから始まり、好気性発酵微生物がアミノ酸、糖類、ビタミン、ミネラル等の生理活性物質を造り、大腸菌、糸状菌、雑菌類等の好気性有害菌を浄菌し、次に好気性発酵微生物の乳酸菌が通性嫌気性乳酸菌及び通性嫌気性菌類へとリレーし、それによって放線菌が現れて抗菌性物質を造り、これが細菌、病原菌、ウィルス、リケッチャー等の嫌気性有害菌を浄菌し、前記二つの浄菌作用が連動することで、アゾトバクター、アミロバクター、根瘤菌等が空気中から窒素を取り込み固定する働きをし（窒素固定菌）、最後に光合成細菌、藻菌類、化学合成微生物が炭酸ガス、窒素ガスを取り込んで光合成等、エネルギー・置換と交換を行うことで複合発酵が可能となること、および、耐放射性細菌は、下記細菌から１ないし複数を選択することを要旨とするものである。
アシネトバクター（Acinetobacter）放射線耐性細菌
アルスロバクター  ラディオトレランス（Arthrobacter radiotolerance）同上
バシルス  セレアス（Bacillus cereus）同上
バシルス  プミルス（Bacillus pumilus）同上
パシルス  スブチリス（Bacillus subtilis）同上
カンディーダ  アルビカンス（Candida albicans）放射線耐性酵母
カンデイーダ  シフェール（Candida ciferrll）同上
カンディーダ  クルセイ（Candida krusei）同上
クロコシディオプシス（Chroococcidiopsis）放射線耐性ラン藻
クロストリディウム  ボツリナム（Clostridium botulinum）放射線耐性細菌
クロストリディウム  パーフリンゲンス（Clostridium perfringens）同上
クリプトコキュス  ネオフォルマンス（Cryptococcus neoformans）放射線耐性酵母
デイノバクター  グランディス（Deinobacter grandis）放射線耐性細薗
デイノコキュス  プロテオリティキュス（Deinococcus proteolyticus）同上
デイノコキュス  ラディオデユランス（Deinococcus radiodurans）同上
デイノコキュス  ラディオフィルス（Deinococcus radiophilus）同上
デイノコキュス  ラディオプグナンス（Deinococcus radiopugnans）同上
ドゥナリエラ  バルダウィル（Dunaliella bardawil）放射線耐性緑藻
エルウィニア  ｓｐ.（Erwinia sp.）放射線耐性細菌
エスチェリチア  コリ（Escherichia coli）同上
ユーグレナ  ｓｐ．（Euglena sp.）放射線耐性鞭毛虫類
ハロバクテリウム  サリナリウム（Halobacterium salinarium） 放射線耐性古細菌
ハイメノバクター  アクチノスクレルス（Hymenobacter actinosclerus）放射線耐性細菌
キネオコキュス  ラディオトレランス （Kineococcus radiotolerans）同上
ラクトバチルス  アシドフィルス（Lactobacillus acidophilus）同上
メシロバクテリウム  ラディオトレランス（Methylobacterium radiotolerans）同上
マイクロコキュス  ラディオデュランス（Micrococcus radiodurans）同上
プセウドモナス  ｓｐ．（Pseudomonas sp.）同上
プセウドモナス  ラディオラ（Pseudomonas radiora）同上
フィロコキュス  フリオサス（Pyrococcus furiosus）放射線耐性古細菌
リゾプス  ニグリカンス（Rhyzopus nigricans）放射線耐性真菌
ルブロバクター  ラディオトレランス（Rubrobacter radiotolerans）放射線耐性細菌
ルブロパクター  キラノフィルス（Rubrobacter xylanophilus）同上
セラチア  ルクエファシエンス（Serratia llquefaciens）同上
スフィンゴモナス  パウシモブリス（Sphingomonas paucimobliis）同上
スピキュリア（Spicuria）放射線耐性真菌
ステノトロフォモナス  マルトフィラ（Stenotrophomonas maltophila）放射性耐性細菌
トルロプシス（Torulopsis）放射線耐性酵母
イェルシニア  エンテロコリティカ（Yersinia emterocolitica）放射性耐性細菌
【手続補正３】
【補正対象書類名】特許請求の範囲
【補正対象項目名】請求項２
【補正方法】変更
【補正の内容】
【請求項２】
複合発酵法は、酵母、乳酸菌類等の好気性発酵微生物が働き出すことから始まり、好気性発酵微生物がアミノ酸、糖類、ビタミン、ミネラル等の生理活性物質を造り、大腸菌、糸状菌、雑菌類等の好気性有害菌を浄菌し、
次に好気性発酵微生物の乳酸菌が通性嫌気性乳酸菌及び通性嫌気性菌類へとリレーし、それによって放線菌が現れて抗菌性物質を造り、これが細菌、病原菌、ウィルス、リケッチャー等の嫌気性有害菌を浄菌し、前記二つの浄菌作用が連動することで、アゾトバクター、アミロバクター、根瘤菌等が空気中から窒素を取り込み固定する働きをし（窒素固定菌）、最後に光合成細菌、藻菌類、化学合成微生物が炭酸ガス、窒素ガスを取り込んで光合成等、エネルギー・置換と交換を行うことで複合発酵が可能となる請求項1記載の土壌の改質方法。